(57)【要約】【課題】  従来の掃除機のノズルによる吸引だけでは、取る事のできなかった床面と壁面とのコーナーや床面の隅部分の埃や塵、ゴミ等をノズルの方向転換や、形態の違うノズルへの付替えなしに掃除する事が可能なノズル用アタッチメントを提供する。【解決手段】  電機式吸引掃除機は、掃除機本体に一端を結合したホースの先端にノズル本体１０が装着されている。このノズル本体１０に装着するゴミ拭掃具１は、弾性を有する略帯状の素材によって形成され、長手方向の一方の基端側が連結され、他方の先端側が例えば短冊状に分割されて自由状態に形成されている。そして、連結状態の基端側をノズル本体１０の両側面に固定し、自由状態の先端側をノズル本体１０の両側面から外方に張り出すように装着する。このとき、ノズル本体１０の吸い込み口底面及び移動方向前面吸い込み口は、ゴミ拭掃具１によって覆われることなく開放状態としている。【選択図】      図１
2006296693.tif 000002
【特許請求の範囲】
【請求項１】
掃除機のノズル本体に装着されるゴミ拭掃具であって、上記ゴミ拭掃具は弾性を有する素材によって形成され、連結された基端側が上記ノズル本体の両側面に固定され、自由状態の先端側が上記ノズル本体両側面から外方に張り出され、上記ノズル本体は吸い込み口底面及び移動方向前面を開放するように装着したことを特徴とする掃除機ノズル用ゴミ拭掃具。
【請求項２】
ゴミ拭掃部は、帯状の弾性素材により形成され、長手方向の一方側を連結すると共に先端側を略短冊状に形成し、基端側の上記連結部分がノズル本体の両側面に粘着テープや着脱自在なテープ等の固定手段によって着脱自在に固定し、先端側を上記ノズル本体の吸い込み口底面より外方に張り出した請求項１に記載の掃除機ノズル用ゴミ拭掃具。
【請求項３】
ゴミ拭掃部は、上記ノズル本体の両側面から移動方向後面まで装着され、上記ゴミ拭掃部の先端側を略扇状に広がるように形成した請求項１乃至２に記載の掃除機ノズル用ゴミ拭掃具。
【発明の詳細な説明】
【技術分野】
【０００１】
本発明は、電機式吸引掃除機に取り付けられるノズルに装着するゴミ拭掃具に関し、壁際や部屋の隅のゴミ等を、ノズルの方向転換や別の形態のノズルへの付替えなしに掃除することが可能なゴミ拭掃具に関するものである。
【背景技術】
【０００２】
屋内の掃除は殆どが電気式吸引掃除機で行われており、種々のタイプの吸引掃除機が市販されている。この電機式吸引掃除機は、吸引ホースの先端の装着されたノズルの吸い込み口から畳やカーペット、フローリングなどに飛散するゴミや埃を吸引することにより掃除を行っている。しかし、電機式吸引掃除機に取り付けられるノズルは略平板状に形成されていて、吸い込み口が設けられた底面と移動方向の前方に切り欠き状の吸引部が設けられている。そして、通常の場合、ノズルを前方に移動することによって畳やカーペット、フローリング等の床面に飛散されたゴミ等を前方の吸引部から引き込むようにしている。
【０００３】
ところが、ノズルの吸い込み口側底面を床面に摺接しながら側面を壁面や隅部分に接近させて掃除しようとしても、床面と壁面との隅部分にあるゴミ等が吸引されない場合があり、掃除が十分に行えないという問題がある。すなわち、吸引掃除機は、底面ではゴミ等を吸い取る事は容易にできるが、床面の壁面や隅部分の埃や塵、ゴミ等は取り残してしまうために、ノズルの移動方向を変えて先端を隅部分に押し当てることが必要であった。このとき、ノズルをそのまま横方向に移動しても、上述したようにノズルの側面方向からは吸引力が不十分なことから、ノズルの位置を変えながら隅部分を掃除しなければならない。また、その他の方法としては、隅部分を掃除するために別の形態のノズルに付替える事もあり、掃除するために大きな労力が必要であった。
【０００４】
特開２００４−１６６７６８号広報（特許文献１）には、吸引掃除機の吸い込みによる掃除と拭き掃除が同時に行えるように、吸い込み口の吸引を阻害しないように、吸い込み具をノズルの長手方向全幅を覆って集塵性を向上させることが提案されている。
【特許文献１】特開２００４−１６６７６８号広報
【発明の開示】
【発明が解決しようとする課題】
【０００５】
しかし、昨今の住宅は、和洋折衷の構造が増加し、畳、カーペット、フローリング等様々な材質の床が混在するため、上記特許文献１に示された吸い込み具のように、ノズル底部までゴミ吸着部で覆ってしまうと、カーペット敷きの床などは、ノズルの移動が阻害されて掃除ができなくなる問題がある。また、床面の埃や塵、ゴミ等は、底面側のゴミ吸着部に付着してしまい、吸引掃除機に吸い込まれないために、吸引掃除機でありながら吸い込みによる掃除が出来なくなる問題がある。
【０００６】
また、従来の吸引掃除機のノズルでは、床面と壁面とのコーナー部分や床の隅の埃や塵を取り除くには、ノズルの方向転換やノズルの付替えなどが必要で大変であった。
【０００７】
そこで、本発明の課題は、吸引掃除機のノズルに装着することにより、床面の壁面や隅部分のゴミ等を集塵して吸引掃除機により吸い込み掃除が行え、しかもノズルの移動に及ぼす影響を最小限にすることができる掃除機ノズル用拭掃具を提供することである。
【課題を解決するための手段】
【０００８】
上記の課題を達成するため、本発明の掃除機ノズル用ゴミ拭掃具は、弾性を有するゴミ拭掃具で、基端側が掃除機のノズル本体の両側面に固定され、先端部が上記ノズル本体の両側面から外方に張り出され、上記ノズル本体の吸い込み口底面及び異動方向前面をかいほうさせるように装着している。
【０００９】
ゴミ拭掃具は、帯状の弾性素材により形成され、長手方向の一方側が連結され先端側が略短冊状に形成されていて、上記連結部分がノズル本体の両側面に粘着テープや着脱自在なテープ、或いはフックや吸盤等の固定手段によって固定され、先端側が上記ノズル本体の吸い込み口底面より外方の方向に張り出される。
【００１０】
また、ゴミ拭掃具は、上記ノズル本体の両側面から移動方向後面まで装着され、ゴミ拭掃部の先端側が扇状に広がるように形成されている。
【００１１】
さらに、ゴミ拭掃具は、帯状に形成された布類、紙類、不織布、合成樹脂製弾性体、或いは発泡材等の素材によって構成されている。
【００１２】
さらにまた、ゴミ拭掃具は、上記素材に電荷を与えることにより集塵性を高めるようにしてもよい。
【００１３】
さらに、ゴミ拭掃具は、ノズルに装着させた時、ノズル長手方向よりもさらに外側に向かって、略短冊状またはブラシ状とすると、より確実に隅まで床の掃除を行う事ができるので好ましい。
【発明の効果】
【００１４】
本発明の掃除機ノズル用ゴミ拭掃具は、先端側が上記ノズル本体の両側面から外方に張り出されているので、床面と壁面のコーナーや隅部の埃や塵、ゴミ等が上記ゴミ拭掃具によって掻きだされると共にノズルの吸い込み口に誘導され、これらのゴミ等が掃除機の吸引力によって吸い込まれるので、壁面のコーナーや隅部のゴミ等を容易に掃除することができる。このとき、ノズル本体の両側面から外方に張り出されたゴミ拭掃具を壁面のコーナーや隅部に当てながら壁面に対して平行にノズルを移動させるので、重いノズルを持ち上げてノズルの向きを変える必要がなくなり、掃除の労力を大幅に減少させることが可能となる。
【００１５】
また、ノズル本体の両側面にゴミ拭掃具が装着され、しかも先端側が略短冊状またはブラシ状に形成されているので、従来の掃除機と同様に、畳、カーペット、フローリング等様々な材質の床であっても、ノズルを容易に移動させることができる。
【００１６】
さらに、ゴミ拭掃具は、ゴミ収集機能があればよく、低価格の各種素材を使用することができ、安価に構成する事ができる。しかも、ゴミ拭掃具はノズル本体の両側面に装着するので、着脱操作が容易なうえに、収集されたゴミ等がノズル本体の吸引力によって吸い込まれるので、寿命を長くすることが可能となる。
【００１７】
さらにまた、ゴミ拭掃具がノズルの側面、及び角面を覆うことにより、壁などへの損傷を未然に防止することができる。
【発明を実施するための最良の形態】
【００１８】
電機式吸引掃除機は、掃除機本体に一端を結合したホースの先端に略平板状をしたノズル本体が装着されている。このノズル本体に装着するゴミ拭掃具は、弾性を有する略帯状の素材によって形成され、長手方向の一方の基端側が連結され、他方の先端側が例えば短冊状に分割されて自由状態に形成されている。そして、連結状態の上記基端側を上記ノズル本体の両側面に固定し、自由状態の先端側を上記ノズル本体の両側面から外方に張り出すように装着する。このとき、上記ノズル本体の吸い込み口底面及び移動方向前面吸い込み口は、上記ゴミ拭掃具によって覆われることなく開放状態としている。
【実施例１】
【００１９】
以下に、本発明を、その実施の形態を表す図面を参照しつつ詳しく説明する。図１は、本発明にかかるゴミ拭掃具の一つの実施形態を表した斜視図である。図１に示すように、ゴミ拭掃具１は、略帯状に形成され、長手方向の一方の基端側１aは連結され、一方の先端側１bは略短冊状に形成されている。さらに、基端側１aには電機式吸引掃除機から導出されたホース（図示しない）に結合される略平板状に形成されたノズル本体１０に固定するための粘着テープ４が貼設されている。このように構成したゴミ拭掃具１において、上記基端側１aはノズル本体１０に固定するための装着部２であり、上記先端側１bはゴミ拭掃部３である。
【００２０】
ゴミ拭掃具１は、帯状に形成された布類、紙類、不織布、合成樹脂製弾性体、或いは発泡材等の素材のうち、適宜の素材によって構成されている。この素材は、可撓性を有すると共に多少の弾性を有していて、使用状態において若干の復元力を有している。
【００２１】
そして、帯状のゴミ拭掃具１は、長手方向の他方端から幅方向の中間部まで、所定の間隔で切り込みを入れることにより略短冊状に形成され、長手方向の一方端は、連結された状態に形成されている。したがって、ゴミ拭掃部３は、略短冊状に形成されることによって自由状態となっている。また、装着部２には両面粘着テープ４が貼設される。
【００２２】
このように構成されたゴミ拭掃具１は、図２に示すように、ノズル本体１０に固定される。すなわち、ゴミ拭掃具１の装着部２に貼設された両面粘着テープ４のベースを剥がし、ノズル本体１０の両側面に各々貼付して固定する。このようにゴミ拭掃具１を固定した状態では、ノズル本体１０の吸い込み口底面及び矢印で示す移動方向の前面にはゴミ拭掃具１が存在しないようにしている。また、ゴミ拭掃具１をノズル本体１０の両側面に固定するときに、ゴミ拭掃部３をノズル本体１０の側面よりも外方であり、かつ吸い込み口底面方向に向けていることから、ゴミ拭掃部３は、ノズル本体１０の側面よりも外方に張り出すと共に、吸い込み口底面よりも外方に張り出している。以上のようにゴミ拭掃具１をノズル本体１０の両側面に各々貼付することによって、容易に装着作業が完了する。
【００２３】
なお、ゴミ拭掃具１を装着するための固定手段として、上記した例では両面粘着テープ４を使用したが、他の任意の固定手段を使用してもよい。すなわち、固定手段として着脱自在なテープを使用し、予めノズル本体１０の側面に着脱自在なテープの一方を固定し、他方をゴミ拭掃具１に固定することによって、着脱自在に装着が可能になる。この例において、ゴミ拭掃具１を不織布等の繊維が露出した素材を使用することにより、ゴミ拭掃具１を着脱自在なテープとして代用することも可能である。その他、固定手段としては、フックや吸盤、ゴムバンド、或いは磁石等の固定手段も使用することができる。
【００２４】
また、ゴミ拭掃具１としては、上述した帯状素材の他に、帯状部材可撓性を有する素材に弾性を有する紐状や棒状の素材の一端を固定して略ブラシ状に形成したものであってもよい。その他、紐状や棒状の素材の一端のみを接着剤等によって固定し、他方の先端側を自由状態にして略ブラシ状に構成したものであってもよい。
【００２５】
次にゴミ拭掃具１の使用方法について説明する。まず、図２に示すように、ゴミ拭掃具１をノズル本体１０に装着する。このとき、ゴミ拭掃具１の長さは、ノズル本体１０の幅方向の長さと同じ幅でもよいが、図２に示すように、ノズル本体１０における吸い込み口の吸引を阻害しない位置であって、ノズル本体１０の長手方向前方と長手方向後方にかかるように扇状に広がる形態で装着することが望ましく、このように装着することにより、ゴミ等の収集力が向上しても容易に掃除することできる。なお、好ましくは、ゴミ拭掃具１をノズル本体１０の側面から後方に至るように装着し、ノズル本体１０を移動させたときに移動方向のゴミを収集する幅が広くなるので、吸込力を一段と大きくすることができる。
【００２６】
このようにゴミ拭掃具１を装着したノズル本体１０を掃除する床面５に接地すると、図３に示すようにゴミ拭掃部３が屈曲してさらにノズル本体１０の両側から外方に張り出す。この状態でノズル本体１０を移動することによって通常のように掃除する。また、床面５と壁面６のコーナーや隅部７の埃や塵、ゴミ等を吸引する時は、一方のゴミ拭掃具１を壁面に接触させた状態で、ノズル本体１０を壁面６と平行に移動させる。このとき、コーナーや隅部７の埃や塵、ゴミ等がゴミ拭掃具１によって掻き出される。そして、このゴミ等はノズル本体１０の吸いこみ口に誘導されて掃除機の吸引力によって吸い込まれる。この結果、壁面６のコーナーや隅部７のゴミ等であっても容易に掃除することが可能となる。また、ゴミ拭掃具１によって収集されたごみ等は、掃除機の吸引力によって吸い込まれることから、ゴミ拭掃具１における蓄積量が少ないので、比較的きれいな状態で使用することができる。
【実施例２】
【００２７】
図４および図５は、ゴミ拭掃具１１を付替え用のノズル１５に装着した実施例である。ノズル１５は、略三角形状に形成され、図示上方には電機式吸引掃除機から導出されたホース（図示しない）に結合される。また、図示下方には吸引口が設けられている。この吸引口は長円形に形成されている。  
【００２８】
一方、ゴミ拭掃具１１は、前述したゴミ拭掃具１と同様に、帯状に形成された可撓性を有すると共に多少の弾性を有する素材によって形成され、先端側のゴミ拭掃部１３は略短冊状に形成され、基端側の装着部１２は連結されて両面粘着テープ１４等の固定手段が設けられている。
【００２９】
このように構成されたゴミ拭掃具１１は、図３および図４に示すように、ノズル１５に固定される。すなわち、ゴミ拭掃具１１の装着部１２に貼設された両面粘着テープ１４のベースを剥がし、ノズル１５の両側面に各々貼付して固定する。このようにゴミ拭掃具１を固定した状態では、ノズル１５の吸い込み口にはゴミ拭掃具１１が存在しないようにしている。また、ゴミ拭掃具１１をノズル１５の両側面に固定するときに、ゴミ拭掃部１３をノズル本体１０の側面よりも外方であり、かつ吸い込み口方向に向けていることから、ゴミ拭掃部１３は、ノズル１５の側面よりも外方に張り出すと共に、吸い込み口よりも外方に張り出している。以上のようにゴミ拭掃具１１をノズル１５の両側面に貼付することによって、容易に装着作業が完了する。
【００３０】
このように構成された付替え用ノズル１５の使用方法は、前述した実施例と同様であり、ノズル１５の吸引口をゴミ等に接近させ、ゴミ等を吸引口から吸い込むことによって掃除ができる。また、前述した実施例と同様に、床面と壁面のコーナーや隅部の埃や塵、ゴミ等を吸引するときは、一方のゴミ拭掃具１１を壁面に接触させた状態で、ノズル１５を壁面と平行に移動させる。このときコーナーや隅部の埃や塵、ゴミ等がゴミ拭掃具１１によって掻き出される。そして、このゴミ等はノズル１５の吸い込み口に誘導されて掃除機の吸引力によって吸い込まれる。この結果、壁面のコーナーや隅部のゴミ等であっても容易に掃除することが可能となる。また、ゴミ拭掃具１１によって収集されたごみ等は、掃除機の吸引力によって吸い込まれることから、この実施例によるゴミ拭掃具１１においても蓄積量が少なく、比較的きれいな状態で使用することができる。
【００３１】
なお、本発明にかかるゴミ拭掃具は、上記実施例に限定されるものではなく、本発明を逸脱しない範囲で適宜に変更可能である。例えば、ゴミ拭掃具の少なくともゴミ拭掃部１３に電荷を与えることにより集塵性を高めるようにしてもよい。また、ゴミ拭掃具の素材として、化学雑巾のような、特に紛塵を吸着する薬品を塗布したものであってもよい。さらに、電機式吸引掃除機のノズルの形状や構成は、上記実施例に限定されるものではなく、一般に周知のノズルであれば全てのものに適用可能である。
【図面の簡単な説明】
【００３２】
【図１】本発明にかかるゴミ拭掃具の一実施形態を示した斜視図である。
【図２】図１に示したゴミ拭掃具を掃除機のノズルに装着した状態を示した上方斜視図である。
【図３】図１に示したゴミ拭掃具を掃除機のノズルに装着した状態を示した正面図である。
【図４】図１に示したゴミ拭掃具を付替え用ノズルに装着した実施形態を示した正面図である。
【図５】図１に示したゴミ拭掃具を付替え用ノズルに装着した１実施形態の断面図である。
【符号の説明】
【００３３】
１      ゴミ拭掃具
１a     基端側
１b     先端側
２      装着部
３      ゴミ拭掃部
４      粘着テープ
５      床面
６      壁面
１０    ノズル本体
１５    付替え用ノズル
【図１】
2006296693.tif 000003
【図２】
2006296693.tif 000004
【図３】
2006296693.tif 000005
【図４】
2006296693.tif 000006
【図５】
2006296693.tif 000007